(57)【要約】      （修正有）【課題】移動局を使用してチャネル取得する方法および装置を提供する。【解決手段】装置は、１つまたは複数のシステムを使用して、少なくとも１つの無線通信システムの地理的情報をそれぞれ得ることを含む。１つまたは複数のチャネルは、好ましいローミングリスト上で、地理的情報に基づいて優先度付けされ、好ましいローミングリスト上の優先度付けされた１つまたは複数のチャネルの任意のチャネルが、最も最近使用された（ＭＲＵ）リスト上にも存在するかどうかが判定される。移動局は、ＭＲＵリスト上にも存在する優先度付けされた１つまたは複数のチャネルの少なくとも１つを取得するよう試みる。【選択図】図１
2014090489.tif 000002
【特許請求の範囲】
【請求項１】
移動局を使用するシステム取得のための方法であって、
１つまたは複数のチャネルを使用して、少なくとも１つの無線通信システムの地理的情報をそれぞれ得ることと、
ローミングリスト上で、前記地理的情報に基づいて前記１つまたは複数のチャネルを優先度付けすることと、
前記ローミングリスト上の前記優先度付けされた１つまたは複数のチャネルのうちのどのチャネルが、最も最近使用された（ＭＲＵ）リスト上に存在するかを決定することと、
前記ＭＲＵリスト上に存在する前記優先度付けされた１つまたは複数のチャネルの少なくとも１つを使用して、システムを取得するよう試みることと、を備える方法。
【請求項２】
前記試みることは、前記優先度付けされた１つまたは複数のチャネルの前記少なくとも１つのチャネルについてフルスキャンを実施することを備える請求項１に記載の方法。
【請求項３】
前記試みることは、前記優先度付けされた１つまたは複数のチャネルの１つまたは複数のチャネルについてマイクロスキャンを実施することを備える請求項２に記載の方法。
【請求項４】
前記フルスキャンは、
前記チャネルの無線周波数（ＲＦ）電力を決定することなく、チャネルを介してサービスを取得するよう試みることを備える請求項２に記載の方法。
【請求項５】
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える請求項３に記載の方法。
【請求項６】
前記優先度付けすることは、
前記少なくとも１つの無線通信システムの、前記移動局からの距離を決定することと、
対応する無線通信システムの、前記移動局からの前記距離に基づいて前記１つまたは複数のチャネルを優先度付けすることと、を備える請求項１に記載の方法。
【請求項７】
前記距離に基づいて前記１つまたは複数のチャネルを前記優先度付けすることは、
対応する地理的情報に基づいて、複数の無線通信システムを地理的領域にグループ分けすることと、
対応する無線通信システムの前記地理的領域に基づいて前記１つまたは複数のチャネルを優先度付けすることと、を備える請求項６に記載の方法。
【請求項８】
移動局を使用するシステム取得のための装置であって、
１つまたは複数のチャネルを使用して、少なくとも１つの無線通信システムの地理的情報をそれぞれ得、
ローミングリスト上で、前記地理的情報に基づいて前記１つまたは複数のチャネルを優先度付けし、
前記ローミングリスト上の前記優先度付けされた１つまたは複数のチャネルのうちのどのチャネルが、最も最近使用された（ＭＲＵ）リスト上に存在するかを決定し、
前記ＭＲＵリスト上に存在する前記優先度付けされた１つまたは複数のチャネルの少なくとも１つを使用して、システムを取得するよう試みるように構成された処理ユニットを備える装置。
【請求項９】
前記処理ユニットは、前記優先度付けされた１つまたは複数のチャネルの前記少なくとも１つのチャネルについてフルスキャンを実施するようにさらに構成される請求項８に記載の装置。
【請求項１０】
前記処理ユニットは、前記優先度付けされた１つまたは複数のチャネルの１つまたは複数のチャネルについてマイクロスキャンを実施するようにさらに構成される請求項９に記載の装置。
【請求項１１】
前記フルスキャンは、
前記チャネルの無線周波数（ＲＦ）電力を決定することなく、チャネルを介してサービスを取得するよう試みることを備える請求項９に記載の装置。
【請求項１２】
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える請求項１０に記載の装置。
【請求項１３】
前記処理ユニットは、
前記少なくとも１つの無線通信システムの、前記移動局からの距離を決定し、
対応する無線通信システムの、前記移動局からの前記距離に基づいて前記１つまたは複数のチャネルを優先度付けするようにさらに構成される請求項８に記載の装置。
【請求項１４】
前記処理ユニットは、
対応する地理的情報に基づいて、複数の無線通信システムを地理的領域にグループ分けし、
対応する無線通信システムの前記地理的領域に基づいて前記１つまたは複数のチャネルを優先度付けするようにさらに構成される請求項１３に記載の装置。
【請求項１５】
移動局を使用するシステム取得のための装置であって、
１つまたは複数のチャネルを使用して、少なくとも１つの無線通信システムの地理的情報をそれぞれ得る手段と、
ローミングリスト上で、前記地理的情報に基づいて前記１つまたは複数のチャネルを優先度付けする手段と、
前記ローミングリスト上の前記優先度付けされた１つまたは複数のチャネルのうちのどのチャネルが、最も最近使用された（ＭＲＵ）リスト上に存在するかを決定する手段と、
前記ＭＲＵリスト上に存在する前記優先度付けされた１つまたは複数のチャネルの少なくとも１つを使用して、システムを取得するよう試みる手段とを備える装置。
【請求項１６】
前記試みる手段は、前記優先度付けされた１つまたは複数のチャネルの前記少なくとも１つのチャネルについてフルスキャンを実施する手段を備える請求項１５に記載の装置。
【請求項１７】
前記試みる手段は、前記優先度付けされた１つまたは複数のチャネルの１つまたは複数のチャネルについてマイクロスキャンを実施する手段を備える請求項１６に記載の装置。
【請求項１８】
前記フルスキャンは、
前記チャネルの無線周波数（ＲＦ）電力を決定することなく、チャネルを介してサービスを取得するよう試みる手段を備える請求項１６に記載の装置。
【請求項１９】
前記マイクロスキャンは、
チャネルの無線周波数（ＲＦ）電力を決定する手段と、
前記チャネルの前記ＲＦ電力が所定の閾値未満であるかどうかを判定する手段と、
前記チャネルの前記ＲＦ電力が前記所定の閾値未満でない場合、前記チャネルを介してサービスを取得するよう試みる手段とを備える請求項１７に記載の装置。
【請求項２０】
前記優先度付けする手段は、
前記少なくとも１つの無線通信システムの、前記移動局からの距離を決定する手段と、
対応する無線通信システムの、前記移動局からの前記距離に基づいて前記１つまたは複数のチャネルを優先度付けする手段とを備える請求項１５に記載の装置。
【請求項２１】
対応する地理的情報に基づいて、複数の無線通信システムを地理的領域にグループ分けする手段と、
対応する無線通信システムの前記地理的領域に基づいて前記１つまたは複数のチャネルを優先度付けする手段とをさらに備える請求項２０に記載の装置。
【請求項２２】
移動局を使用するシステム取得の方法を実施するための命令を格納する機械読取り可能媒体であって、前記方法は、
１つまたは複数のチャネルを使用して、少なくとも１つの無線通信システムの地理的情報をそれぞれ得ることと、
ローミングリスト上で、前記地理的情報に基づいて前記１つまたは複数のチャネルを優先度付けすることと、
前記ローミングリスト上の前記優先度付けされた１つまたは複数のチャネルのうちのどのチャネルが、最も最近使用された（ＭＲＵ）リスト上に存在するかを決定することと、
前記ＭＲＵリスト上に存在する前記優先度付けされた１つまたは複数のチャネルの少なくとも１つを使用して、システムを取得するよう試みることと、を備える機械読取り可能媒体。
【請求項２３】
前記試みることは、前記優先度付けされた１つまたは複数のチャネルの前記少なくとも１つのチャネルについてフルスキャンを実施することを備える請求項２２に記載の機械読取り可能媒体。
【請求項２４】
前記試みることは、前記優先度付けされた１つまたは複数のチャネルの１つまたは複数のチャネルについてマイクロスキャンを実施することを備える請求項２３に記載の機械読取り可能媒体。
【請求項２５】
前記フルスキャンは、
前記チャネルの無線周波数（ＲＦ）電力を決定することなく、チャネルを介してサービスを取得するよう試みることを備える請求項２３に記載の機械読取り可能媒体。
【請求項２６】
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える請求項２４に記載の機械読取り可能媒体。
【請求項２７】
前記優先度付けすることは、
前記少なくとも１つの無線通信システムの、前記移動局からの距離を決定することと、
対応する無線通信システムの、前記移動局からの前記距離に基づいて前記１つまたは複数のチャネルを優先度付けすることと、を備える請求項２２に記載の機械読取り可能媒体。
【請求項２８】
対応する地理的情報に基づいて、複数の無線通信システムを地理的領域にグループ分けすることと、
対応する無線通信システムの前記地理的領域に基づいて前記１つまたは複数のチャネルを優先度付けすることと、をさらに備える請求項２７に記載の機械読取り可能媒体。
【請求項２９】
移動局を使用するシステム取得のための命令を実行するように構成されたプロセッサであって、前記命令は、
１つまたは複数のチャネルを使用して、少なくとも１つの無線通信システムの地理的情報をそれぞれ得ることと、
ローミングリスト上で、前記地理的情報に基づいて前記１つまたは複数のチャネルを優先度付けすることと、
前記ローミングリスト上の前記優先度付けされた１つまたは複数のチャネルのうちのどのチャネルが、最も最近使用された（ＭＲＵ）リスト上に存在するかを決定することと、
前記ＭＲＵリスト上に存在する前記優先度付けされた１つまたは複数のチャネルの少なくとも１つを使用して、システムを取得するよう試みることと、を備えるプロセッサ。
【請求項３０】
前記試みることは、前記優先度付けされた１つまたは複数のチャネルの前記少なくとも１つのチャネルについてフルスキャンを実施することを備える請求項２９に記載のプロセッサ。
【請求項３１】
前記試みることは、前記優先度付けされた１つまたは複数のチャネルの１つまたは複数のチャネルについてマイクロスキャンを実施することを備える請求項３０に記載のプロセッサ。
【請求項３２】
前記フルスキャンは、
前記チャネルの無線周波数（ＲＦ）電力を決定することなく、チャネルを介してサービスを取得するよう試みることを備える請求項３０に記載のプロセッサ。
【請求項３３】
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える請求項３１に記載のプロセッサ。
【請求項３４】
前記優先度付けすることは、
前記少なくとも１つの無線通信システムの、前記移動局からの距離を決定することと、
対応する無線通信システムの、前記移動局からの前記距離に基づいて前記１つまたは複数のチャネルを優先度付けすることと、を備える請求項２９に記載のプロセッサ。
【請求項３５】
前記命令は、
対応する地理的情報に基づいて、複数の無線通信システムを地理的領域にグループ分けすることと、
対応する無線通信システムの前記地理的領域に基づいて前記１つまたは複数のチャネルを優先度付けすることと、をさらに備える請求項３４に記載のプロセッサ。
【発明の詳細な説明】
【技術分野】
【０００１】
本開示は、一般に、無線通信に関し、より具体的には、無線通信システムにおけるチャネルスキャニングのための方法および装置に関する。
【背景技術】
【０００２】
移動デバイスの電池（battery）性能は、様々な動作モードで費やされる時間量に依存する。たとえば、通常の移動デバイスの動作モードは、移動デバイスがインサービス（in-service）またはアウトオブサービス(out of service)である間に起こる可能性があるトラフィック状態（すなわち、音声およびデータ伝送）およびアイドル(idle)状態を含む。
【０００３】
移動デバイスがサービスを失うと、サービスの再取得中に、かなりの電力が消費される。再取得は、使用可能であることもないこともある複数のチャネル／周波数／帯域を使用する、複数の試行を必要とする可能性がある。移動デバイスの電池に残っている電力レベルによっては、移動デバイスは、電池(battery)がなくなる前に使用可能なシステムを突き止めることができない。
【０００４】
使用不能または「デッド（dead）」チャネルを探索することは、時間と電力消費の両方に関してコストがかかる。デッドチャネルを探索することは、ライブチャネルの取得を遅延させ、同時に、探索中に電池電力を浪費する。
【０００５】
従来のアウトオブサービスアルゴリズムはチャネル状態に左右され、このことは、デッドチャネルを介してサービスを取得するよう試みて時間と電力が浪費される可能性があるため、予測不可能な電池電力性能に通じる。予測不可能なスタンバイ時間は、電力消費および電池寿命が予測不可能であるために、ユーザ不満足をもたらす。
【発明の概要】
【０００６】
したがって、当技術分野では、「デッド」チャネルを探索しながら、時間および電池電力を浪費することなく、効率的な電力消費によって取得確率を改善するチャネルスキャニングのための方法および装置が求められている。
【０００７】
本開示実施形態は、先に述べた従来技術で提示された問題の１つまたは複数を解決すること、ならびに添付図面と共に以下の詳細な説明を参照して容易に明らかになるであろう、さらなる特徴を提供することを対象とする。
【０００８】
本開示の１つの態様は、移動局を使用するシステム取得(acquisition)のための方法を対象とする。方法は、１つまたは複数のチャネルを使用して、少なくとも１つの無線通信システムの地理的情報をそれぞれ得ることと、ローミングリスト上で、地理的情報に基づいて１つまたは複数のチャネルを優先度付けすることと、ローミングリスト上の優先度付けされた１つまたは複数のチャネルのうちのどのチャネルが、最も最近使用された（most recently used）（ＭＲＵ）リスト上に存在するかを決定することと、ＭＲＵリスト上に存在する優先度付けされた１つまたは複数のチャネルの少なくとも１つを使用して、システムを取得するよう試みることと、を含む。
【０００９】
本開示の別の態様は、移動局を使用するシステム取得のための装置を対象とする。装置は、処理ユニットを含み、処理ユニットは、１つまたは複数のチャネルを使用して、少なくとも１つの無線通信システムの地理的情報をそれぞれ得、ローミングリスト上で、地理的情報に基づいて１つまたは複数のチャネルを優先度付けし、ローミングリスト上の優先度付けされた１つまたは複数のチャネルのうちのどのチャネルが、最も最近使用された（ＭＲＵ）リスト上に存在するかを決定し、ＭＲＵリスト上に存在する優先度付けされた１つまたは複数のチャネルの少なくとも１つを使用して、システムを取得するよう試みるように構成される。
【００１０】
本開示のなお別の態様は、移動局を使用するシステム取得のための装置を対象とする。装置は、１つまたは複数のチャネルを使用して、少なくとも１つの無線通信システムの地理的情報をそれぞれ得る手段と、ローミングリスト上で、地理的情報に基づいて１つまたは複数のチャネルを優先度付けする手段と、ローミングリスト上の優先度付けされた１つまたは複数のチャネルのうちのどのチャネルが、最も最近使用された（ＭＲＵ）リスト上に存在するかを決定する手段と、ＭＲＵリスト上に存在する優先度付けされた１つまたは複数のチャネルの少なくとも１つを使用して、システムを取得するよう試みる手段とを含む。
【００１１】
本開示のなお別の態様は、移動局を使用するシステム取得の方法を実施するための命令を格納する機械読取り可能媒体を対象とする。方法は、１つまたは複数のチャネルを使用して、少なくとも１つの無線通信システムの地理的情報をそれぞれ得ることと、ローミングリスト上で、地理的情報に基づいて１つまたは複数のチャネルを優先度付けすることと、ローミングリスト上の優先度付けされた１つまたは複数のチャネルのうちのどのチャネルが、最も最近使用された（ＭＲＵ）リスト上に存在するかを決定することと、ＭＲＵリスト上に存在する優先度付けされた１つまたは複数のチャネルの少なくとも１つを使用して、システムを取得するよう試みることと、を含む。
【００１２】
本開示のなお別の態様は、移動局を使用するシステム取得のための命令を実行するように構成されたプロセッサを対象とする。命令は、１つまたは複数のチャネルを使用して、少なくとも１つの無線通信システムの地理的情報をそれぞれ得ること、ローミングリスト上で、地理的情報に基づいて１つまたは複数のチャネルを優先度付けすることと、ローミングリスト上の優先度付けされた１つまたは複数のチャネルのうちのどのチャネルが、最も最近使用された（ＭＲＵ）リスト上に存在するかを決定することと、ＭＲＵリスト上に存在する優先度付けされた１つまたは複数のチャネルの少なくとも１つを使用して、システムを取得するよう試みることと、を含む。
【００１３】
地理的情報およびＭＲＵリストに基づくシステム測定の結果をフィルタリングすることによって、偽陽性(false positives)が、システム測定結果において減少するであろう。すなわち、所望の地理的場所内にあり、かつ、移動局によって最近使用されたシステムに優先度が与えられることになるため、移動デバイスは、デッド状態であるシステムを取得するよう試みて、時間または電池電力を浪費する可能性が小さい。
【００１４】
先の一般的な説明および以下の詳細な説明は共に、例示的であり、特許請求される主題を詳しく説明することが意図されていることを理解されたい。
【００１５】
本開示の特徴、特質、および利点は、図面と共に考えられると、以下に述べる詳細な説明からより明らかになるであろう。図面では、同じ参照文字は、全体を通して相応して識別される。
【図面の簡単な説明】
【００１６】
【図１】本開示のある態様による種々の無線システムからサービスを取得する移動局の略図。
【図２】本開示のある態様による移動局の例示的な図。
【図３】本開示のある態様による移動局におけるシステム取得の方法を示すフロー図。
【図４ａ】本開示のある態様による、好ましいローミングリスト上で、地理的情報に基づいて１つまたは複数のチャネルを優先度付けする方法を示すフロー図。
【図４ｂ】本開示のある態様による、好ましいローミングリスト上で、地理的情報に基づいて１つまたは複数のチャネルを優先度付けする方法を示すフロー図。
【図５ａ】本開示のある態様による、例示的な好ましいローミングリストを示す図。
【図５ｂ】本開示のある態様による、例示的な最も最近使用された（ＭＲＵ）リストを示す図。
【図６ａ】本開示のある態様による、ＭＲＵリスト上に存在する優先度付けされた１つまたは複数のチャネルの少なくとも１つを使用してサービスを取得するよう試みる方法を示すフロー図。
【図６ｂ】本開示のある態様による、ＭＲＵリスト上に存在する優先度付けされた１つまたは複数のチャネルの少なくとも１つを使用してサービスを取得するよう試みる方法を示すフロー図。
【図７】本開示のある態様による、探索時間中にフルスキャンまたはマイクロスキャンを使用して取得される優先度付けされたチャネルを示す波形。
【詳細な説明】
【００１７】
以下の詳細な説明では、主題の技術の完全な理解を可能にするためにいくつかの特定の詳細が述べられる。しかし、主題の技術が、これらの特定の詳細の一部が無い状態で実施されてもよいことが当業者に明らかになるであろう。他の事例では、よく知られている構造および技法は、主題の技術を曖昧にしないために詳細に示されていない。
【００１８】
単語「例示的な（exemplary）」は、「例示または例証として役立つ（serving as an example or illustration）」を意味するために本明細書で使用される。「例示的な」として本明細書で述べる任意の態様または設計は、他の態様または設計に比べて好ましいまたは有利であるとして必ずしも解釈されない。
【００１９】
ここで、主題の技術の態様に対して詳細に参照が行われるであろう。その実施例は、同じ参照数字が全体を通して同じ要素を指す添付図面において示される。
【００２０】
本明細書で開示されるプロセス内のステップの特定の順序または階層構造が、例示的な手法の実施例であることを理解されたい。設計の選好に基づいて、プロセス内のステップの特定の順序または階層構造が、本開示の範囲内に留まったままで再配置されてもよいことを理解されたい。添付方法の特許請求の範囲は、サンプル順序で種々のステップの要素を提示し、提示される特定の順序または階層構造に限定されることを意味しない。
【００２１】
図１は、本開示のある態様による種々の無線システムからサービスを取得する複数の移動局の略図である。図１に示すように、移動局１００は、それぞれのカバレジエリア１１２（ａ）〜１１２（ｃ）内にあるときに、無線通信システム１１０（ａ）〜１１０（ｃ）のうちの１つの無線通信システムからサービスを取得する。移動局１００は、カバレジエリア１１２（ａ）〜１１２（ｃ）の内／外に移動する可能性があり、それにより、移動局１００がそこから去る無線通信システム１１０（ａ）〜１１０（ｃ）に対するサービスを失い、その後、移動局１００が、そのそれぞれのカバレジエリア１１２（ａ）〜１１２（ｃ）に入る無線通信システム１１０（ａ）〜１１０（ｃ）によって利用されるチャネルを介してサービスを取得しなければならない。
【００２２】
無線通信システム１１０（ａ）〜１１０（ｃ）は、たとえば、地理的領域１および領域２内でグループ分けされてもよく、領域１および領域２は、予め規定され、移動局１００内に格納されるか、または、各移動局１００によって個々に決定される。図１に示す実施例では、無線通信システム１１０（ａ）および１１０（ｂ）は、領域１内にあり、無線通信システム１１０（ｃ）は、領域２内にある。この実施例によれば、無線通信システムは、送信機場所に基づいてグループ分けされる。しかし、無線通信システムは、本開示の範囲から逸脱することなく、カバレジエリア１１２（ａ）〜１１２（ｃ）に基づいてグループ分けされてもよい。領域１および領域２だけが図１に示される。しかし、任意の数の無線通信システム１１０（ａ）〜１１０（ｃ）を含む任意の数の領域が存在してもよい。
【００２３】
移動局１００は、たとえば、携帯電話、ＰＤＡなどを指してもよく、同様に、移動デバイス、ユーザ機器（user equipment）（ＵＥ）、無線通信デバイス、端末、局、または他の用語で呼ばれてもよい。
【００２４】
図２は、本開示のある態様による移動局１００の例示的な図である。ある態様によれば、移動局１００は、受信機２００および送信機２１０を含む。移動局１００は、さらに、メモリ２２０、処理ユニット２３０、電池２４０、および電力制御ユニット２５０を含む。もちろん、移動局１００は、任意の特定の構成に限定されず、コンポーネントならびに他のコンポーネントの種々の組合せが、移動局１００内に含まれてもよい。
【００２５】
図３は、本開示のある態様による移動局１００でのシステム取得の方法を示すフロー図である。ここで図３を参照して、動作３００にて移動局１００は、無線通信システム１１０（ａ）〜１１０（ｃ）の地理的情報を得る。無線通信システム１１０（ａ）〜１１０（ｃ）の地理的情報は、移動局１００のメモリ２２０内に予めプログラムされ、それぞれの無線通信システム１１０（ａ）〜１１０（ｃ）によって使用されるチャネルに関連付けられてもよい。地理的情報は、たとえば、無線通信システム１１０（ａ）〜１１０（ｃ）の場所情報を含んでもよい。地理的情報は、無線通信システム１１０（ａ）〜１１０（ｃ）が、その中で見出される可能性がある規定された領域を含んでもよい。もちろん、本開示の範囲から逸脱することなく、任意の他の地理的情報が含まれてもよい。地理的情報はまた、予めプログラムされるのではなく、動的に得られうる。
【００２６】
動作３００から、プロセスは、動作３１０に進み、それぞれの無線通信システム１１０（ａ）〜１１０（ｃ）によって使用されるチャネルが、移動局１００のメモリ２２０から得られる対応する地理的情報に基づいて優先度付けされる。チャネルは、メモリ２２０に格納されたローミングリスト（以下の図４（ａ）および４（ｂ）を参照してさらに述べられる）上で、処理ユニット２３０によって優先度付けされる。ある態様によれば、ローミングリストは、メモリ２２０内に予めプログラムされた好ましいローミングリストであってよい。たとえば、無線通信システム１１０（ａ）〜１１０（ｃ）の他の移動局よりも移動局１００に近い、無線通信システム１１０（ａ）〜１１０（ｃ）によって使用されるチャネルは、好ましいローミングリスト上で高く優先度付けされてもよい。チャネルは、本開示の範囲から逸脱することなく、他の地理的情報に基づいて優先度付けされてもよい。
【００２７】
動作３１０から、プロセスは、動作３２０に進み、移動局１００は、好ましいローミングリスト上の優先度付けされたチャネルのうちのどのチャネルが、移動局１００によって最近使用されたかを決定する。移動局１００のメモリ２２０は、移動局１００が、サービスを得るために最も最近使用したチャネルを記録する、最も最近使用された（ＭＲＵ）リスト（以下の図５（ａ）および５（ｂ）を参照してさらに述べられる）を格納する。
【００２８】
動作３２０から、プロセスは、動作３３０に進み、移動局１００は、同様に最近使用された優先度付けされたチャネルの１つまたは複数を取得するよう試みる。たとえば、処理ユニット２３０は、ＭＲＵリスト上のチャネルで、動作３１０における優先度付けの結果をフィルタリングしてもよい。その後、移動局１００は、動作３１０にて優先度付けされ、かつ、ＭＲＵリスト上に現れるチャネルを取得するよう試みることになる。したがって、移動局１００は、ある開示される実施形態に従って、どのチャネルを取得するよう試みるかを判定するために、地理的情報と使用活動の両方を使用する。
【００２９】
図４（ａ）および４（ｂ）は、本開示のある態様による、好ましいローミングリスト上で、地理的情報に基づいて１つまたは複数のチャネルを優先度付けする方法（動作３１０に述べられる）を示すフロー図である。図４（ａ）を参照して、動作４００にて、移動局１００から１つまたは複数の無線通信システム１１０（ａ）〜１１０（ｃ）までの距離が決定されてもよい。先に述べたように、無線通信システム１１０（ａ）〜１１０（ｃ）の場所は、メモリ２２０に格納されたＭＲＵリスト内に予めプログラムされてもよい。移動局１００の現在の場所は、たとえばＧＰＳナビゲーションシステム、または、任意の従来のポジショニングメカニズムを使用して決定されてもよい。無線通信システム１１０（ａ）〜１１０（ｃ）の場所および移動局１００の場所が決定されると、距離は、たとえば、処理ユニット２３０によって計算されてもよい。
【００３０】
動作４００から、プロセスは、動作４１０に進み、チャネルは、決定された距離（複数可）に基づいてメモリ２２０に格納された好ましいローミングリスト内で優先度付けされる。たとえば、移動局１００により近い無線通信システム１１０（ａ）〜１１０（ｃ）によって使用されるチャネルは、好ましいローミングリスト上で、高い優先度を与えられてもよい。
【００３１】
図４（ｂ）は、本開示のある態様による例示的な優先度付け動作３１０を示すフロー図である。動作４２０にて、無線通信システム１１０（ａ）〜１１０（ｃ）は、地理的領域にグループ分けされる。戻って図１を参照して、無線通信システム１１０（ａ）および１１０（ｂ）は、１つの領域にグループ分けされてもよく、一方、無線通信システム１１０（ｃ）は、第２の領域２にグループ分けされてもよい。もちろん、任意の数のシステム１１０（ａ）〜１１０（ｃ）が、各領域内にあってもよく、任意の数の領域が存在してもよい。地理的領域は、メモリ２２０内に予めプログラムされてもよい。あるいは、地理的領域は、動作４００にて決定された移動局１００からの距離に基づいて決定されてもよい。すなわち、移動局１００から同じ距離に位置する無線通信システム１１０（ａ）〜１１０（ｃ）は、ある地理的領域にグループ分けされてもよい。
【００３２】
動作４２０から、プロセスは、動作４３０に進み、チャネルは、地理的領域に基づいて好ましいローミングリスト上で優先度付けされる。各地理的領域内の無線通信システム１１０（ａ）〜１１０（ｃ）によって使用されるチャネルは、一緒にグループ分けされ、各地理的領域に基づいて優先度付けされる。たとえば、移動局１００に最も近い無線通信システム１１０（ａ）〜１１０（ｃ）によって使用されるチャネルは、好ましいローミングリスト上で、高く優先度付けされてもよい。
【００３３】
図５（ａ）および５（ｂ）は、本開示のある態様による、それぞれ例示的な好ましいローミングリストおよび例示的なＭＲＵリストである。図５（ａ）に示すように、好ましいローミングリスト５００は、３つの地理的領域１、２、および３にグループ分けされたチャネルＡ、Ｂ、Ｃ、Ｄ、Ｅ、Ｆ、Ｇ、Ｈ、およびＩを含む。この例示的な好ましいローミングリスト５００では、チャネルＡ、Ｂ、およびＣは、最も高い優先度を与えられる。その理由は、チャネルＡ、Ｂ、およびＣが、たとえば移動局１００に対する最も近い地理的領域である可能性がある地理的領域１内に存在する無線通信システム１１０（ａ）〜１１０（ｃ）によって使用されるからである。もちろん、任意の数のチャネルが、好ましいローミングリスト５００上にあってよく、また、任意の数のチャネルが、任意の特定の地理的領域に関連してもよい。同様に、任意の数の地理的領域が、好ましいローミングリスト５００上に設けられてもよい。
【００３４】
図５（ｂ）は、チャネルＡ、Ｅ、およびＢが、移動局１００によって最も最近使用されたことを示す例示的なＭＲＵリスト５１０である。もちろん、本開示は、ＭＲＵリスト５１０上に任意の特定の数のチャネルを記録することに限定されない。本開示のある態様によれば、チャネルＡ、Ｅ、およびＢが、所望の地理的領域に関連し、かつ、ＭＲＵリスト５１０上にあるため、これらのチャネルの取得が、移動局１００によって試みられることになる。
【００３５】
本開示のある態様によれば、サービスの再取得についてのデューティサイクル(duty cycle)は、移動局１００がアウトオブサービス状態にあるとき、または、異なるチャネルが所望されるとき、探索時間とスリープ時間を含む。探索時間中、移動局１００は、フルスキャンおよび／またはマイクロスキャンを実装することによって使用可能なチャネルを探索する。例として、電池２４０が十分に充電されているとき、デューティサイクルの探索時間は、５秒間続いてもよく、スリープ時間は３６秒間続いてもよい。しかし、本開示の範囲から逸脱することなく、デューティサイクルを構成するために、種々のスリープ時間および探索時間が使用されてもよい。デューティサイクルおよび調整は、さらに、本出願と同じ発明者等による、「ＭＥＴＨＯＤ  ＡＮＤ  ＡＰＰＡＲＡＴＵＳ  ＦＯＲ  ＣＨＡＮＮＥＬ  ＡＣＱＵＩＳＩＴＩＯＮ  ＷＨＩＬＥ  ＭＡＩＮＴＡＩＮＩＮＧ  Ａ  ＤＥＦＩＮＥＤ  ＢＡＴＴＥＲＹ  ＬＩＦＥ  ＳＰＡＮ」という名称の同時係属中の出願番号第１２／１２６，８４０号に記載される。
【００３６】
マイクロスキャンは、通常、チャネルの無線周波数（ＲＦ）電力が、電力制御ユニット２５０および／または処理ユニット２３０によって決定される高速スキャン（たとえば、約１０ｍｓ続く）である。その後、処理ユニット２３０は、チャネルのＲＦ電力が所定の閾値未満であるかどうかを判定し、チャネルのＲＦ電力が所定の閾値未満でない場合、移動局１００は、以下に述べるフルスキャンなどのチャネルの詳細取得を使用して、チャネルを介してサービスを取得するよう試みる。
【００３７】
フルスキャンは、通常、マイクロスキャンより多くの電力を一般に必要とする低速スキャン（たとえば、約３００ｍｓ続く）である。フルスキャンでは、移動局１００は、１つまたは複数のチャネルのＲＦ電力を決定することなく、１つまたは複数のチャネルを介してサービスを取得するよう試みる。すなわち、処理ユニット２３０は、チャネルの状態にかかわらず、１つまたは複数のチャネルの詳細取得(detailed acquisition)を実施する。実際例として、移動局１００は、残りの電池電力を維持するために、制限された数のチャネル（たとえば、５つのチャネル）にわたってフルスキャンを実施し、その後、他のチャネルについてより高速でより電力効率がよいマイクロスキャンに切換えてもよい。マイクロスキャンまたはフルスキャンが、全探索時間中に実施されてもよく、あるいは、その組合せが、探索時間中に実施されてもよいことが留意される。
【００３８】
図５（ａ）および５（ｂ）に示す例示的な好ましいローミングリスト５００およびＭＲＵリスト５１０によれば、チャネルＡ、Ｅ、およびＢが移動局１００によって取得される可能性が高いため、チャネルＡ、Ｅ、およびＢのフルスキャンが実施されてもよい。その理由は、チャネルＡ、Ｅ、およびＢが、最近使用されており（すなわち、チャネルＡ、Ｅ、およびＢが、ＭＲＵリスト５００上にある）、また、好ましいローミングリスト５００内に設けられた所望の地理的領域内にあるからである。もちろん、フルスキャンは、探索時間中に任意の数のチャネルについて実施されてもよい。代替として、フルスキャンは、少数のチャネル（たとえば、チャネルＡおよびＢだけ）について実施されてもよく、マイクロスキャンは、ＭＲＵリスト５１０上に設けられてもよく、または、設けられなくてもよい任意の数の残りのチャネルについて実施されてもよい。
【００３９】
図６（ａ）および６（ｂ）は、本開示のある態様による、（動作３３０で述べたように）ＭＲＵリスト上に存在する優先度付けされた１つまたは複数のチャネルの少なくとも１つを使用してサービスを取得するよう試みる方法を示すフロー図である。図６（ａ）を参照して、動作６００では、フルスキャンが、１つまたは複数のチャネルについて実施される。先に述べたように、フルスキャンは、任意の数のチャネルについて実施されてもよい。一例として、フルスキャンは、好ましいローミングリスト５００上で優先度付けされると共に、ＭＲＵリスト５１０上に現れるチャネルについて実施されてもよい。しかし、チャネルが、好ましいローミングリスト５００上とＭＲＵリスト５１０上の両方で優先度付けされることは必要でない。
【００４０】
ある態様によれば、動作６００から、プロセスは、動作６１０に進み、マイクロスキャンが１つまたは複数のチャネルについて実施される。一例として、フルスキャンを使用したシステム取得が不成功である場合、電力を維持するために、マイクロスキャンが、好ましいローミングリスト５００上の残りのチャネルについて実施されてもよい。一例によれば、マイクロスキャンは、好ましいローミングリスト５００上で優先度付けされるが、ＭＲＵリスト５１０上に現れないチャネルについて実施されてもよい。しかし、チャネルを優先度付けする他のオプションが、本開示の範囲から逸脱することなく実装されてもよい。さらなる電池電力維持方法は、「ＭＥＴＨＯＤ  ＡＮＤ  ＡＰＰＡＲＡＴＵＳ  ＦＯＲ  ＣＨＡＮＮＥＬ  ＡＣＱＵＩＳＩＴＩＯＮ  ＷＨＩＬＥ  ＭＡＩＮＴＡＩＮＩＮＧ  Ａ  ＤＥＦＩＮＥＤ  ＢＡＴＴＥＲＹ  ＬＩＦＥ  ＳＰＡＮ」という名称の同時係属中の出願番号第１２／１２６，８４０号に記載される。もちろん、探索時間の任意の部分は、本開示の範囲から逸脱することなく、フルスキャニングまたはマイクロスキャニングのいずれかに捧げられてもよい。
【００４１】
図６（ｂ）は、本開示のある態様による、（動作６１０で述べるように）マイクロスキャンを実施する方法を示すフロー図である。動作６４０にて、チャネルのＲＦ電力が、電力制御ユニット２５０および／または処理ユニット２３０によって決定される。動作６４０から、プロセスは、動作６５０に進み、処理ユニット２３０は、チャネルのＲＦ電力が所定の閾値未満であるかどうかを判定する。
【００４２】
動作６５０から、プロセスは、動作６６０に進み、チャネルのＲＦ電力が所定の閾値未満でない場合、移動局１００は、上述したフルスキャンなどのチャネルを使用したシステムの詳細取得を使用して、チャネルを取得するよう試みる。もちろん、チャネルの任意の詳細取得が実施されてもよい。
【００４３】
図７は、本開示のある態様による、探索時間中にフルスキャンまたはマイクロスキャンを使用して取得される優先度付けられたチャネルを示す波形である。図７に示すように、探索時間７００中に、探索時間７００およびスリープ時間７１０を含むデューティサイクルの一部として、種々のチャネルのフルスキャン７２０が実施されてもよく、また、他のチャネルのマイクロスキャン７３０が実施されてもよい。図５（ａ）および５（ｂ）を参照して上述した例を参照して、チャネルＡ、Ｂ、およびＥが、ＭＲＵリスト５１０上に挙げられ、かつ、好ましいローミングリスト５００上で優先度付けされる（すなわち、地理的領域１および２内にある）ため、移動局１００が、たとえばサービスを失い、サービスを再取得したいと思うとき、フルスキャン７２０が、これらのチャネルについて実施されてもよい。ある態様によれば、フルスキャンは、後続の探索時間７００においてチャネルＤおよびＦについて実施されてもよい。その理由は、チャネルＤおよびＦが、たとえＭＲＵリスト５１０上に存在しなくても、好ましいローミングリスト５００上で高い優先度を持つからである。
【００４４】
ある態様によれば、マイクロスキャン７３０は、フルスキャンを受けない他のチャネルについて実施されてもよい。たとえば、ＭＲＵリスト５１０上に設けられないが、好ましいローミングリスト５００上で優先度付けされたチャネルは、マイクロスキャン７３０を受けてもよい。しかし、任意の組合せまたは数のチャネルが、任意の特定の探索時間７００においてフルスキャン７２０および／またはマイクロスキャン７３０を受けてもよい。
【００４５】
さらに、次の探索時間７００に示すように、ＭＲＵリスト５１０上の、チャネルＡ、Ｂ、およびＥ以外のチャネルＤおよびＦは、好ましいローミングリスト５００上に設けられた所望の地理的領域内にあるためフルスキャンを受けてもよい。たとえば、チャネルを取得することが、第１の探索時間７００中に不成功である場合、さらなるフルスキャンが、次の探索時間７００中に実装されてもよい。「ＭＥＴＨＯＤ  ＡＮＤ  ＡＰＰＡＲＡＴＵＳ  ＦＯＲ  ＣＨＡＮＮＥＬ  ＡＣＱＵＩＳＩＴＩＯＮ  ＷＨＩＬＥ  ＭＡＩＮＴＡＩＮＩＮＧ  Ａ  ＤＥＦＩＮＥＤ  ＢＡＴＴＥＲＹ  ＬＩＦＥ  ＳＰＡＮ」という名称の同時係属中の出願番号第１２／１２６，８４０号に詳細に記載されるように、任意の数のチャネルが、フルスキャンまたはマイクロスキャンを受けてもよく、また、フルスキャンの数が、残りの電池電力レベルに基づいて決定されてもよい。
【００４６】
地理的情報、および、チャネルが移動局１００によって最近使用されたかどうか（すなわち、チャネルがＭＲＵリスト５１０上に現れるかどうか）に基づいて優先度付けされたチャネルをフィルタリングすることによって、偽陽性が、システム測定結果において減少することになる。すなわち、地理的情報に基づいて所望されるチャネルは、移動局１００によって以前に使用された場合、取得される可能性がより高い。所望の地理的場所内にあり、かつ、移動局によって最近使用されたチャネルに対して優先度が与えられることになるため、移動局１００は、デッド状態のチャネルを取得するよう試みて、時間および電池電力を浪費する可能性が小さい。
【００４７】
本開示が、移動局１００がサービスを失うシナリオに限定されないことが留意される。本開示の特徴は、現在利用されるチャネルのチャネル状態が悪く（たとえば、チャネル状態が規定の閾値より下がり）、より良い状態を有する異なるチャネルが所望されるときに実装されてもよい。さらに、移動局１００のユーザは、異なるチャネルが所望されるときに本明細書で述べるチャネル取得方法を手動で始動してもよい。
【００４８】
情報および信号が、種々の異なる技術および技法のうちの任意のものを使用して表されてもよいことを当業者は理解するであろう。たとえば、先の説明全体を通して参照されてもよいデータ、命令、コマンド、情報、信号、ビット、シンボル、チップは、電圧、電流、電磁波、磁場または磁気粒子、光学場または光学粒子、あるいはその任意の組合せによって表されてもよい。
【００４９】
本明細書で開示される実施形態と関連して述べられる種々の例証的なロジックモジュール、回路、およびアルゴリズムが、電子ハードウェア、コンピュータソフトウェア、または両者の組合せとして実装されてもよいことを当業者はさらに理解するであろう。ハードウェアおよびソフトウェアのこの交換可能性を明確に示すために、種々の例証的なコンポーネント、ブロック、モジュール、回路、およびステップが、それらの機能の点から一般に上述された。こうした機能が、ハードウェアとして実装されるか、ソフトウェアとして実装されるかは、特定の用途および全体システムに課される設計制約に依存する。当業者は、それぞれの特定の用途についていろいろな方法で述べた機能を実装してもよいが、こうした実装の決定は、本開示の範囲からの逸脱をもたらすものとして解釈されるべきでない。
【００５０】
本明細書で開示される実施形態に関連して述べられる種々の例証的なロジックブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、本明細書で述べる機能を実施するように設計されたその任意の組合せによって実装されてもよく、または、実施されてもよい。汎用プロセッサは、マイクロプロセッサであってよいが、代替法では、プロセッサは、任意の従来のプロセス、コントロール、マイクロコントローラ、または状態機械であってよい。プロセスはまた、コンピューティングデバイスの組合せ、たとえば、ＤＳＰとマイクロプロセッサの組合せ、複数のマイクロプロセッサ、ＤＳＰコアと一緒の１つまたは複数のマイクロプロセッサ、あるいは任意の他のこうした構成として実装されてもよい。
【００５１】
１つまたは複数の例示的な実施形態では、述べた機能は、ハードウェア、ソフトウェア、ファームウェア、またはその任意の組合せで実装されてもよい。ソフトウェアで実装される場合、機能は、コンピュータ読取り可能媒体上の１つまたは複数の命令またはコードとして、格納されるか、または、送信されてもよい。コンピュータ読取り可能媒体は、コンピュータ記憶媒体と、１つの場所から別の場所へのコンピュータプログラムの転送を容易にする任意の媒体を含む通信媒体の両方を含む。記憶媒体は、コンピュータによってアクセスされうる任意の利用可能な媒体であってよい。制限するのではなく、例として、こうしたコンピュータ読取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、所望のプログラムコードを、命令またはデータ構造の形態で搬送するかまたは格納するために使用されることができ、かつ、コンピュータによってアクセスされることができる任意の他の媒体を含みうる。同様に、任意の接続は、当然、コンピュータ読取り可能媒体と呼ばれる。たとえば、ソフトウェアが、同軸ケーブル、光ファイバケーブル、ツイストペア、デジタル加入者線（ＤＳＬ）、または、赤外線、無線、およびマイクロ波などの無線技術を使用して、ウェブサイト、サーバ、または他の遠隔ソースから送信される場合、同軸ケーブル、光ファイバケーブル、ツイストペア、ＤＳＬ、または、赤外線、無線、およびマイクロ波などの無線技術は、媒体の定義に含まれる。本明細書で使用されるディスク（disk）およびディスク（disc）は、コンパクトディスク（ＣＤ）、レーザディスク、光ディスク、デジタル多用途ディスク（ＤＶＤ）、フロッピディスク、およびブルーレイディスクを含み、ディスク（disk）は、通常、データを磁気的に再生し、一方、ディスク（disc）は、レーザによってデータを光学的に再生する。上記の組合せもまた、コンピュータ読取り可能媒体の範囲内に含まれるべきである。
【００５２】
開示された態様の先の説明は、当業者が本開示を作るかまたは使用することを可能にするために提供される。これらの態様に対する種々の変更が、当業者に容易に明らかになることになり、また、本明細書で規定される一般的な原理が、本開示から逸脱することなく、他の態様に適用されてもよい。したがって、本開示は、本明細書で示す態様に限定されることを意図されるのではなく、本明細書で開示される原理および新規な特徴と矛盾しない最も広い範囲に一致する。
【図１】
2014090489.tif 000003
【図２】
2014090489.tif 000004
【図３】
2014090489.tif 000005
【図４ａ】
2014090489.tif 000006
【図４ｂ】
2014090489.tif 000007
【図５ａ】
2014090489.tif 000008
【図５ｂ】
2014090489.tif 000009
【図６ａ】
2014090489.tif 000010
【図６ｂ】
2014090489.tif 000011
【図７】
2014090489.tif 000012
【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
移動局を使用するシステム取得のための方法であって、
１つまたは複数のチャネルを使用して、少なくとも１つの無線通信システムの地理的情報をそれぞれ得ることと、
ローミングリスト上で、前記地理的情報に基づいて前記１つまたは複数のチャネルを優先度付けすることと、
前記ローミングリスト上の前記優先度付けされた１つまたは複数のチャネルのうちのどのチャネルが、最も最近使用された（ＭＲＵ）リスト上に存在するかを決定することと、
前記ＭＲＵリスト上に存在する前記優先度付けされた１つまたは複数のチャネルの少なくとも１つを使用して、システムを取得するよう試みることと、を備える方法。
【手続補正２】
【補正対象書類名】明細書
【補正対象項目名】００５２
【補正方法】変更
【補正の内容】
【００５２】
開示された態様の先の説明は、当業者が本開示を作るかまたは使用することを可能にするために提供される。これらの態様に対する種々の変更が、当業者に容易に明らかになることになり、また、本明細書で規定される一般的な原理が、本開示から逸脱することなく、他の態様に適用されてもよい。したがって、本開示は、本明細書で示す態様に限定されることを意図されるのではなく、本明細書で開示される原理および新規な特徴と矛盾しない最も広い範囲に一致する。
以下に、本願の出願当初請求項に記載された発明を付記する。
［Ｃ１］
移動局を使用するシステム取得のための方法であって、
１つまたは複数のチャネルを使用して、少なくとも１つの無線通信システムの地理的情報をそれぞれ得ることと、
ローミングリスト上で、前記地理的情報に基づいて前記１つまたは複数のチャネルを優先度付けすることと、
前記ローミングリスト上の前記優先度付けされた１つまたは複数のチャネルのうちのどのチャネルが、最も最近使用された（ＭＲＵ）リスト上に存在するかを決定することと、
前記ＭＲＵリスト上に存在する前記優先度付けされた１つまたは複数のチャネルの少なくとも１つを使用して、システムを取得するよう試みることと、を備える方法。
［Ｃ２］
前記試みることは、前記優先度付けされた１つまたは複数のチャネルの前記少なくとも１つのチャネルについてフルスキャンを実施することを備える上記Ｃ１に記載の方法。
［Ｃ３］
前記試みることは、前記優先度付けされた１つまたは複数のチャネルの１つまたは複数のチャネルについてマイクロスキャンを実施することを備える上記Ｃ２に記載の方法。
［Ｃ４］
前記フルスキャンは、
前記チャネルの無線周波数（ＲＦ）電力を決定することなく、チャネルを介してサービスを取得するよう試みることを備える上記Ｃ２に記載の方法。
［Ｃ５］
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える上記Ｃ３に記載の方法。
［Ｃ６］
前記優先度付けすることは、
前記少なくとも１つの無線通信システムの、前記移動局からの距離を決定することと、
対応する無線通信システムの、前記移動局からの前記距離に基づいて前記１つまたは複数のチャネルを優先度付けすることと、を備える上記Ｃ１に記載の方法。
［Ｃ７］
前記距離に基づいて前記１つまたは複数のチャネルを前記優先度付けすることは、
対応する地理的情報に基づいて、複数の無線通信システムを地理的領域にグループ分けすることと、
対応する無線通信システムの前記地理的領域に基づいて前記１つまたは複数のチャネルを優先度付けすることと、を備える上記Ｃ６に記載の方法。
［Ｃ８］
移動局を使用するシステム取得のための装置であって、
１つまたは複数のチャネルを使用して、少なくとも１つの無線通信システムの地理的情報をそれぞれ得、
ローミングリスト上で、前記地理的情報に基づいて前記１つまたは複数のチャネルを優先度付けし、
前記ローミングリスト上の前記優先度付けされた１つまたは複数のチャネルのうちのどのチャネルが、最も最近使用された（ＭＲＵ）リスト上に存在するかを決定し、
前記ＭＲＵリスト上に存在する前記優先度付けされた１つまたは複数のチャネルの少なくとも１つを使用して、システムを取得するよう試みるように構成された処理ユニットを備える装置。
［Ｃ９］
前記処理ユニットは、前記優先度付けされた１つまたは複数のチャネルの前記少なくとも１つのチャネルについてフルスキャンを実施するようにさらに構成される上記Ｃ８に記載の装置。
［Ｃ１０］
前記処理ユニットは、前記優先度付けされた１つまたは複数のチャネルの１つまたは複数のチャネルについてマイクロスキャンを実施するようにさらに構成される上記Ｃ９に記載の装置。
［Ｃ１１］
前記フルスキャンは、
前記チャネルの無線周波数（ＲＦ）電力を決定することなく、チャネルを介してサービスを取得するよう試みることを備える上記Ｃ９に記載の装置。
［Ｃ１２］
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える上記Ｃ１０に記載の装置。
［Ｃ１３］
前記処理ユニットは、
前記少なくとも１つの無線通信システムの、前記移動局からの距離を決定し、
対応する無線通信システムの、前記移動局からの前記距離に基づいて前記１つまたは複数のチャネルを優先度付けするようにさらに構成される上記Ｃ８に記載の装置。
［Ｃ１４］
前記処理ユニットは、
対応する地理的情報に基づいて、複数の無線通信システムを地理的領域にグループ分けし、
対応する無線通信システムの前記地理的領域に基づいて前記１つまたは複数のチャネルを優先度付けするようにさらに構成される上記Ｃ１３に記載の装置。
［Ｃ１５］
移動局を使用するシステム取得のための装置であって、
１つまたは複数のチャネルを使用して、少なくとも１つの無線通信システムの地理的情報をそれぞれ得る手段と、
ローミングリスト上で、前記地理的情報に基づいて前記１つまたは複数のチャネルを優先度付けする手段と、
前記ローミングリスト上の前記優先度付けされた１つまたは複数のチャネルのうちのどのチャネルが、最も最近使用された（ＭＲＵ）リスト上に存在するかを決定する手段と、
前記ＭＲＵリスト上に存在する前記優先度付けされた１つまたは複数のチャネルの少なくとも１つを使用して、システムを取得するよう試みる手段とを備える装置。
［Ｃ１６］
前記試みる手段は、前記優先度付けされた１つまたは複数のチャネルの前記少なくとも１つのチャネルについてフルスキャンを実施する手段を備える上記Ｃ１５に記載の装置。
［Ｃ１７］
前記試みる手段は、前記優先度付けされた１つまたは複数のチャネルの１つまたは複数のチャネルについてマイクロスキャンを実施する手段を備える上記Ｃ１６に記載の装置。
［Ｃ１８］
前記フルスキャンは、
前記チャネルの無線周波数（ＲＦ）電力を決定することなく、チャネルを介してサービスを取得するよう試みる手段を備える上記Ｃ１６に記載の装置。
［Ｃ１９］
前記マイクロスキャンは、
チャネルの無線周波数（ＲＦ）電力を決定する手段と、
前記チャネルの前記ＲＦ電力が所定の閾値未満であるかどうかを判定する手段と、
前記チャネルの前記ＲＦ電力が前記所定の閾値未満でない場合、前記チャネルを介してサービスを取得するよう試みる手段とを備える上記Ｃ１７に記載の装置。
［Ｃ２０］
前記優先度付けする手段は、
前記少なくとも１つの無線通信システムの、前記移動局からの距離を決定する手段と、
対応する無線通信システムの、前記移動局からの前記距離に基づいて前記１つまたは複数のチャネルを優先度付けする手段とを備える上記Ｃ１５に記載の装置。
［Ｃ２１］
対応する地理的情報に基づいて、複数の無線通信システムを地理的領域にグループ分けする手段と、
対応する無線通信システムの前記地理的領域に基づいて前記１つまたは複数のチャネルを優先度付けする手段とをさらに備える上記Ｃ２０に記載の装置。
［Ｃ２２］
移動局を使用するシステム取得の方法を実施するための命令を格納する機械読取り可能媒体であって、前記方法は、
１つまたは複数のチャネルを使用して、少なくとも１つの無線通信システムの地理的情報をそれぞれ得ることと、
ローミングリスト上で、前記地理的情報に基づいて前記１つまたは複数のチャネルを優先度付けすることと、
前記ローミングリスト上の前記優先度付けされた１つまたは複数のチャネルのうちのどのチャネルが、最も最近使用された（ＭＲＵ）リスト上に存在するかを決定することと、
前記ＭＲＵリスト上に存在する前記優先度付けされた１つまたは複数のチャネルの少なくとも１つを使用して、システムを取得するよう試みることと、を備える機械読取り可能媒体。
［Ｃ２３］
前記試みることは、前記優先度付けされた１つまたは複数のチャネルの前記少なくとも１つのチャネルについてフルスキャンを実施することを備える上記Ｃ２２に記載の機械読取り可能媒体。
［Ｃ２４］
前記試みることは、前記優先度付けされた１つまたは複数のチャネルの１つまたは複数のチャネルについてマイクロスキャンを実施することを備える上記Ｃ２３に記載の機械読取り可能媒体。
［Ｃ２５］
前記フルスキャンは、
前記チャネルの無線周波数（ＲＦ）電力を決定することなく、チャネルを介してサービスを取得するよう試みることを備える上記Ｃ２３に記載の機械読取り可能媒体。
［Ｃ２６］
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える上記Ｃ２４に記載の機械読取り可能媒体。
［Ｃ２７］
前記優先度付けすることは、
前記少なくとも１つの無線通信システムの、前記移動局からの距離を決定することと、
対応する無線通信システムの、前記移動局からの前記距離に基づいて前記１つまたは複数のチャネルを優先度付けすることと、を備える上記Ｃ２２に記載の機械読取り可能媒体。
［Ｃ２８］
対応する地理的情報に基づいて、複数の無線通信システムを地理的領域にグループ分けすることと、
対応する無線通信システムの前記地理的領域に基づいて前記１つまたは複数のチャネルを優先度付けすることと、をさらに備える上記Ｃ２７に記載の機械読取り可能媒体。
［Ｃ２９］
移動局を使用するシステム取得のための命令を実行するように構成されたプロセッサであって、前記命令は、
１つまたは複数のチャネルを使用して、少なくとも１つの無線通信システムの地理的情報をそれぞれ得ることと、
ローミングリスト上で、前記地理的情報に基づいて前記１つまたは複数のチャネルを優先度付けすることと、
前記ローミングリスト上の前記優先度付けされた１つまたは複数のチャネルのうちのどのチャネルが、最も最近使用された（ＭＲＵ）リスト上に存在するかを決定することと、
前記ＭＲＵリスト上に存在する前記優先度付けされた１つまたは複数のチャネルの少なくとも１つを使用して、システムを取得するよう試みることと、を備えるプロセッサ。
［Ｃ３０］
前記試みることは、前記優先度付けされた１つまたは複数のチャネルの前記少なくとも１つのチャネルについてフルスキャンを実施することを備える上記Ｃ２９に記載のプロセッサ。
［Ｃ３１］
前記試みることは、前記優先度付けされた１つまたは複数のチャネルの１つまたは複数のチャネルについてマイクロスキャンを実施することを備える上記Ｃ３０に記載のプロセッサ。
［Ｃ３２］
前記フルスキャンは、
前記チャネルの無線周波数（ＲＦ）電力を決定することなく、チャネルを介してサービスを取得するよう試みることを備える上記Ｃ３０に記載のプロセッサ。
［Ｃ３３］
前記マイクロスキャンは、
チャネルの無線周波数（ＲＦ）電力を決定することと、
前記チャネルの前記ＲＦ電力が所定の閾値未満であるかどうかを判定することと、
前記チャネルの前記ＲＦ電力が前記所定の閾値未満でない場合、前記チャネルを介してサービスを取得するよう試みることと、を備える上記Ｃ３１に記載のプロセッサ。
［Ｃ３４］
前記優先度付けすることは、
前記少なくとも１つの無線通信システムの、前記移動局からの距離を決定することと、
対応する無線通信システムの、前記移動局からの前記距離に基づいて前記１つまたは複数のチャネルを優先度付けすることと、を備える上記Ｃ２９に記載のプロセッサ。
［Ｃ３５］
前記命令は、
対応する地理的情報に基づいて、複数の無線通信システムを地理的領域にグループ分けすることと、
対応する無線通信システムの前記地理的領域に基づいて前記１つまたは複数のチャネルを優先度付けすることと、をさらに備える上記Ｃ３４に記載のプロセッサ。
【外国語明細書】
2014090489000001.pdf